(57)【要約】      （修正有）【課題】使用が便利であり、構造が簡単であり、コストが低く、操作も簡単であり、高い携帯性及び適用性を有する美顔マスクを提供する。【解決手段】美顔マスクは、ケース組立部材１０と、シール部材２０と、換気パイプ部材３０と、換気組立部材４０と、を備える。換気パイプ部材３０はシール部材２０に内設され、シール部材２０はケース組立部材１０の内面に設置され、ケース組立部材１０には換気組立部材４０が設置される。美顔マスクが顔に直接装着され、上部からガスが入力されることにより顔の保養及び美容効果が生じる。【選択図】図３
0003224650.tif 000002
【実用新案登録請求の範囲】
【請求項１】
ケース組立部材と、シール部材と、換気パイプ部材と、換気組立部材と、を備え、前記換気パイプ部材は前記シール部材に内設され、前記シール部材は前記ケース組立部材の内面に設けられ、前記ケース組立部材には換気組立部材が設置されることを特徴とする美顔マスク。
【請求項２】
前記ケース組立部材はマスク外枠と、アイマスク組立部材と、換気パネルと、を備え、前記アイマスク組立部材及び換気パネルは前記マスク外枠にそれぞれ設置されることを特徴とする請求項１に記載の美顔マスク。
【請求項３】
前記マスク外枠には換気口が設けられ、前記換気パネルは換気口に設置され、前記マスク外枠には覗き穴が更に設けられ、前記アイマスク組立部材は覗き穴に設置され、前記覗き穴は前記換気口の上方に位置されることを特徴とする請求項２に記載の美顔マスク。
【請求項４】
前記アイマスク組立部材はアイマスク位置決め枠と、第一アイマスクボードと、第二アイマスクボードと、を備え、前記アイマスク位置決め枠は前記マスク外枠に設置され、前記第一アイマスクボードは前記アイマスク位置決め枠に設置され、前記第二アイマスクボードは前記第一アイマスクボードに設置され、前記第二アイマスクボードには２つの目の形の開口部が開設されることを特徴とする請求項２，または３に記載の美顔マスク。
【請求項５】
前記換気パネルには若干の換気小穴が設けられることを特徴とする請求項４に記載の美顔マスク。
【請求項６】
前記換気パイプ部材は三方コネクタ及び換気パイプを備え、前記三方コネクタ及び換気パイプは前記シール部材内にそれぞれ嵌設され、前記三方コネクタの第一端及び第二端には前記換気パイプがそれぞれ連結されることを特徴とする請求項１に記載の美顔マスク。
【請求項７】
前記換気組立部材は換気ノーズマスク及び導風板を備え、前記導風板は前記換気ノーズマスクの前端面に設置され、前記換気ノーズマスクの下端には２つの位置決めピンが設置される連結板が設置され、２つの前記換気ノーズマスクには貫通孔が設けられる固定板がそれぞれ設置され、前記導風板には複数の通気孔が設けられることを特徴とする請求項１に記載の美顔マスク。
【請求項８】
前記換気ノーズマスクはシリコーンゴムで一体製造されることを特徴とする請求項７に記載の美顔マスク。
【請求項９】
前記シール部材は固定部材及び密封リングを備え、前記密封リングは前記固定部材に設置され、前記固定部材には換気パイプ溝が設けられることを特徴とする請求項１に記載の美顔マスク。
【請求項１０】
前記美顔マスクはヘッドバンド及び装飾部材を更に備え、前記ヘッドバンドの複数の連結端は前記ケース組立部材の辺縁にそれぞれ連結され、前記装飾部材は前記ケース組立部材の表面に設置され、前記装飾部材は前記ケース組立部材のアイマスク組立部材の上方の中間位置に位置されることを特徴とする請求項１に記載の美顔マスク。
【考案の詳細な説明】
【技術分野】
【０００１】
本考案は、フェイシャルケア分野に関し、更に詳しくは、美顔マスクに関する。
【背景技術】
【０００２】
学習、仕事、娯楽等で人々が目を酷使する時間が長くなると、眼精疲労、しびれや痛み、視力の低下等が避けられなくなる。青少年は鼻の周りに油が浮き出やすい。両頬に長時間化粧を施していたり、日焼けしていると、シミや皺が出やすくなり、アレルギーを引き起こし腫れることもある。また、冬季の乾燥した空気が皮膚の水分を奪い、顔及び頚部が乾燥し、皮膚が落屑し、高齢者の場合顔の皮膚が亜健康状態となる。
【０００３】
現在顔面ケアの主要な方式としてフェイスマスクの使用がある。フェイスマスクの水分またはエッセンスの皮膚への吸収を促すため、通常では加熱機能を有する美顔器により皮膚温度を高め、皮膚の毛穴を拡張し、汗腺の分泌及び新陳代謝を促し、皮膚の酸素含量を増やし、皮膚の表皮細胞の新陳代謝によって生まれた物質及び蓄積した油脂類の物質を排出し、フェイスマスク中の水分やエッセンスを少量表皮の角質層に浸透させ、皮膚を柔らかくし、皮膚の自然な光沢や弾力を取り戻すことが女性に人気となっている。
【考案の概要】
【課題を解決するための手段】
【０００４】
上記課題を解決するために、本考案のある態様の美顔マスクは、ケース組立部材と、シール部材と、換気パイプ部材と、換気組立部材と、を備える。前記換気パイプ部材は前記シール部材に内設され、前記シール部材は前記ケース組立部材の内面に設置され、前記ケース組立部材には換気組立部材が設置される。
【図面の簡単な説明】
【０００５】
【図１】本考案に係るマスクを説明する正面構成の概略図である。
【図２】本考案に係るマスクを説明する背面構成の概略図（一）である。
【図３】本考案に係るマスクを説明する背面構成の概略図（二）である。
【考案を実施するための形態】
【０００６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【０００７】
本考案に係る美顔マスクは、ケース組立部材１０と、シール部材２０と、換気パイプ部材３０と、換気組立部材４０と、を備える。前記換気パイプ部材３０は前記シール部材２０に内設され、前記シール部材２０は前記ケース組立部材１０の内面に設置され、前記ケース組立部材１０の内面には換気組立部材４０が設置される。前記マスクの構造は簡単であり、使用が便利であり、密封性も高い（図１乃至図３参照）。
【０００８】
前記ケース組立部材１０は、マスク外枠１０１と、アイマスク組立部材１０２と、換気パネル１０３と、を備える。前記アイマスク組立部材１０２及び換気パネル１０３は前記マスク外枠１０１にそれぞれ設置される。
【０００９】
前記マスク外枠１０１には換気口が設けられ、前記換気パネル１０３は前記換気口に設置される。前記マスク外枠１０１には覗き穴が更に設けられ、前記アイマスク組立部材１０２は前記覗き穴に設置され、前記覗き穴は前記換気口の上方に位置される。アイマスク組立部材１０２はねじにより前記マスク外枠１０１に設置される。
【００１０】
前記アイマスク組立部材１０２は、アイマスク位置決め枠１０２１と、第一アイマスクボードと、第二アイマスクボードと、を備える。前記アイマスク位置決め枠は前記マスク外枠に設置され、前記第一アイマスクボードは前記アイマスク位置決め枠に設置され、前記第二アイマスクボードは前記第一アイマスクボードに設置され、前記第二アイマスクボードには２つの目の形の開口部が開設される。
【００１１】
前記換気パイプ部材３０は三方コネクタ３０１及び換気パイプ３０２を備え、前記三方コネクタ３０１及び換気パイプ３０２は前記シール部材２０内にそれぞれ嵌設される。前記三方コネクタ３０１の第一端及び第二端は前記換気パイプ３０２にそれぞれ連結される。三方コネクタ３０１の吸気口は前記シール部材２０の上面に垂直に設けられる。換気パイプは上面から両側に向けて下部の位置まで延伸され、換気パイプ口にはシール部材があり、これによりガスや霧化した液体がマスク及び顔に形成される密閉腔内に進入しやすくなり、顔と全面的によりよく接触し、接触中に顔に対する改善及び美容等の効果を発揮する。
【００１２】
前記換気組立部材４０は換気ノーズマスク及び導風板を備える。前記導風板は前記換気ノーズマスクの前端面に設置され、前記換気ノーズマスクの下端には連結板が設置され、前記連結板には２つの位置決めピンが設けられる。２つの前記換気ノーズマスクには貫通孔が設けられる固定板がそれぞれ設置され、前記導風板には複数の通気孔が設けられる。
【００１３】
前記シール部材２０は固定部材２０１及び密封リングを備え、前記密封リングは前記固定部材２０１に設置され、前記固定部材には換気パイプ溝が設けられる。固定部材はねじによりマスク外枠に設置され、換気パイプ溝の側壁には固定係合片が設置され、換気パイプが換気パイプ溝内に係合され、換気パイプが換気パイプ溝から脱離しにくくなる。
【００１４】
前記換気パネル１０３には若干の換気小穴が設けられる。換気小穴によりガス交換が行われると共に小穴により大粒子が濾過される。
【００１５】
前記密封リング及び換気ノーズマスクはシリコーンゴムにより一体製造される。
【００１６】
前記美顔マスクはヘッドバンド及び装飾部材を更に備え、前記ヘッドバンドの複数の連結端は前記ケース組立部材の辺縁にそれぞれ連結される。前記装飾部材は前記ケース組立部材の表面に設置され、前記装飾部材は前記ケース組立部材のアイマスク組立部材の上方の中間位置に位置される。
【００１７】
マスクは水素機により水素が顔に吹きかけられ、水素機から発生する水素は換気パイプを経て換気パイプ部材に進入し、水素が換気パイプ部材を通過させてマスク内に進入し顔に吹きかけられて美容や保養に使用される。
【００１８】
マスクは更に他の美容スキンケア製品と組み合わせて使用して顔の保養を行うことも可能であり、美容スキンケア製品によりイオン霧化を行った後に霧化粒子またはガス等を生成させ、生成後のガスや霧化粒子を換気パイプを介してマスク内に入力して顔に接触させて保養効果を達成させる。美容スキンケア製品を利用して顔の改善、美白、眼精疲労の緩和、皮膚の活性の改善、活性化した皮膚のアレルギーの消除等を行うことも可能である。
【００１９】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００２０】
１０  ケース組立部材
１０１  マスク外枠
１０２  アイマスク組立部材
１０２１  アイマスク位置決め枠
１０３  換気パネル
２０  シール部材
２０１  固定部材
３０  換気パイプ部材
３０１  三方コネクタ
３０２  換気パイプ
４０  換気組立部材
【図１】
0003224650.tif 000003
【図２】
0003224650.tif 000004
【図３】
0003224650.tif 000005